(57)【特許請求の範囲】
【請求項１】
内燃機関に設けられた雌ネジ部（６２）に螺合される取付ネジ部（２）と、
該取付ネジ部の基端側において上記取付ネジ部よりも外周側に突出して形成された環状の取付座部（３）と、
該取付座部の先端面（３１）に沿って上記取付ネジ部の基端部の外周に配設された環状中実のガスケット（４）と、を有する内燃機関用のスパークプラグ（１）であって、
上記ガスケットは、環状に形成された本体部（４１）と、該本体部における軸方向（Ｚ）の一部から内側に突出すると共に軸方向における肉厚が上記本体部よりも小さい薄肉部（４２）とを有し、
該薄肉部の内径（ｄ１）は、上記取付ネジ部の外径（ｄ２）よりも小さく、上記本体部の内径（ｄ３）は、上記取付ネジ部の外径よりも大きく、
上記薄肉部は、上記本体部の内周面における基端側の一部から内側に突出しており、
上記本体部の基端面と上記薄肉部の基端面との接続箇所に、切欠部（４３）が設けられていることを特徴とする内燃機関用のスパークプラグ。
【請求項２】
上記薄肉部の軸方向の肉厚（ｔ２）は、上記本体部の軸方向の肉厚（ｔ１）の半分以下であることを特徴とする請求項１に記載の内燃機関用のスパークプラグ。
【請求項３】
上記ガスケットは、ビッカース硬さが４０ＨＶ以上１２０ＨＶ以下の、銅合金またはアルミニウム合金からなることを特徴とする請求項１又は２に記載の内燃機関用のスパークプラグ。
【請求項４】
上記薄肉部は、上記ガスケットの全周にわたって環状に形成されている、請求項１〜３のいずれか一項に記載の内燃機関用のスパークプラグ。
【請求項５】
内燃機関に設けられた雌ネジ部（６２）に螺合される取付ネジ部（２）と、該取付ネジ部の基端側に形成された取付座部（３）と、該取付座部の先端面（３１）に沿って上記取付ネジ部の基端部の外周に配設された環状中実のガスケット（４）とを有する内燃機関用のスパークプラグ（１）を製造する方法であって、
上記ガスケットは、環状に形成された本体部（４１）と、該本体部における軸方向（Ｚ）の一部から内側に突出すると共に軸方向における肉厚が上記本体部よりも小さい薄肉部（４２）とを有し、上記本体部の内径（ｄ１）は、上記取付ネジ部の外径（ｄ２）よりも大きく、
上記薄肉部は、上記本体部の内周面における基端側の一部から内側に突出しており、
上記本体部の基端面と上記薄肉部の基端面との接続箇所に、切欠部（４３）が設けられており、
上記ガスケットを上記取付座部の先端面に沿う位置に組み付けるにあたっては、
上記薄肉部を上記本体部に対して軸方向に傾斜させることにより、上記ガスケットを、上記薄肉部の内径が上記取付ネジ部の外径よりも大きい拡径状態とする準備工程と、
次いで、上記拡径状態とされた上記ガスケットの内側に、上記取付ネジ部を該取付ネジ部の先端側から挿通させるようにして、上記ガスケットを上記取付座部の先端面に沿う位置に配置する配置工程と、
次いで、上記取付座部に向かって上記ガスケットの一部を押圧することにより、上記本体部に対する上記薄肉部の傾斜角度を小さくして、上記薄肉部の内径（ｄ１）が上記取付ネジ部の外径よりも小さくなるように塑性変形させる押圧工程と、
を行うことを特徴とする内燃機関用のスパークプラグの製造方法。
【請求項６】
上記準備工程において、上記薄肉部を上記本体部に対して軸方向における先端側に傾斜させて、上記ガスケットの上記拡径状態を形成することを特徴とする請求項５に記載の内燃機関用のスパークプラグの製造方法。
【請求項７】
上記準備工程において、上記薄肉部を上記本体部に対して軸方向における基端側に傾斜させて、上記ガスケットの上記拡径状態を形成することを特徴とする請求項５に記載の内燃機関用のスパークプラグの製造方法。
【請求項８】
上記薄肉部の軸方向の肉厚は、上記本体部の軸方向の肉厚の半分以下であることを特徴とする請求項５〜７のいずれか一項に記載の内燃機関用のスパークプラグの製造方法。
【請求項９】
上記ガスケットは、ビッカース硬さが４０ＨＶ以上１２０ＨＶ以下の、銅合金またはアルミニウム合金からなることを特徴とする請求項５〜８のいずれか一項に記載の内燃機関用のスパークプラグの製造方法。
【請求項１０】
上記薄肉部は、上記ガスケットの全周にわたって環状に形成されている、請求項５〜９のいずれか一項に記載の内燃機関用のスパークプラグの製造方法。
【発明の詳細な説明】
【技術分野】
【０００１】
本発明は、ガスケットを備えた内燃機関用のスパークプラグ及びその製造方法に関する。
【背景技術】
【０００２】
自動車、コージェネレーション等における内燃機関は、該内燃機関に設けられた雌ネジ部に螺合された状態でスパークプラグが取り付けられる。内燃機関に対するスパークプラグの取付部には、取付部の気密性を確保するために、軸方向におけるスパークプラグと内燃機関との間に介在する環状のガスケットが配設されている。そして、内燃機関へのスパークプラグの取付作業性の観点から、内燃機関に取り付ける前の状態において、ガスケットが取り付けられたスパークプラグがある。
【０００３】
特許文献１に開示されたスパークプラグ用ガスケットは、スパークプラグから脱落しないように、取付ネジ部の基端部のネジ山にガスケットが係止された状態となっている。そして、ガスケットは、その内径を取付ネジ部の外径よりも大きくした状態で、スパークプラグに取り付け、その後、ガスケットの内径が取付ネジ部の外径よりも小さくなるようにガスケットを変形させる。これにより、スパークプラグからのガスケットの脱落を防止している。
【０００４】
上記のような変形を可能にすべく、上記ガスケットは、先端面に円周状の溝部を周設してなる。そして、溝部に治具を嵌合して押し込むことで、溝部の内周縁を内周側に曲げて、スパークプラグの取付ネジ部のネジ山に内周縁を係止させることができるよう構成されている。
【先行技術文献】
【特許文献】
【０００５】
【特許文献１】特開平６−２８３２４９号公報
【発明の概要】
【発明が解決しようとする課題】
【０００６】
しかしながら、上記のようなガスケットの構成によると、治具を正確に溝部に嵌合させる必要がある。それゆえ、ガスケットの寸法精度と治具の寸法精度、さらには治具をガスケットに押し付ける際の位置精度において、高い精度が要求される。その結果、ガスケットの製造コストが高くなると共に、ガスケットをスパークプラグに組み付ける際の生産性が低いという問題がある。
【０００７】
本発明は、かかる背景に鑑みてなされたものであり、生産性に優れた低コストの内燃機関用のスパークプラグ及びその製造方法を提供しようとするものである。
【課題を解決するための手段】
【０００８】
本発明の一態様は、内燃機関に設けられた雌ネジ部に螺合される取付ネジ部と、
該取付ネジ部の基端側において上記取付ネジ部よりも外周側に突出して形成された環状の取付座部と、
該取付座部の先端面に沿って上記取付ネジ部の基端部の外周に配設された環状中実のガスケットと、を有する内燃機関用のスパークプラグであって、
上記ガスケットは、環状に形成された本体部と、該本体部における軸方向の一部から内側に突出すると共に軸方向における肉厚が上記本体部よりも小さい薄肉部とを有し、
該薄肉部の内径は、上記取付ネジ部の外径よりも小さく、上記本体部の内径は、上記取付ネジ部の外径よりも大きく、
上記薄肉部は、上記本体部の内周面における基端側の一部から内側に突出しており、
上記本体部の基端面と上記薄肉部の基端面との接続箇所に、切欠部が設けられていることを特徴とする内燃機関用のスパークプラグにある。
【０００９】
本発明の他の態様は、内燃機関に設けられた雌ネジ部に螺合される取付ネジ部と、該取付ネジ部の基端側に形成された取付座部と、該取付座部の先端面に沿って上記取付ネジ部の基端部の外周に配設された環状中実のガスケットとを有する内燃機関用のスパークプラグを製造する方法であって、
上記ガスケットは、環状に形成された本体部と、該本体部における軸方向の一部から内側に突出すると共に軸方向における肉厚が上記本体部よりも小さい薄肉部とを有し、上記本体部の内径は、上記取付ネジ部の外径よりも大きく、
上記薄肉部は、上記本体部の内周面における基端側の一部から内側に突出しており、
上記本体部の基端面と上記薄肉部の基端面との接続箇所に、切欠部が設けられており、
上記ガスケットを上記取付座部の先端面に沿う位置に組み付けるにあたっては、
上記薄肉部を上記本体部に対して軸方向に傾斜させることにより、上記ガスケットを、上記薄肉部の内径が上記取付ネジ部の外径よりも大きい拡径状態とする準備工程と、
次いで、上記拡径状態とされた上記ガスケットの内側に、上記取付ネジ部を該取付ネジ部の先端側から挿通させるようにして、上記ガスケットを上記取付座部の先端面に沿う位置に配置する配置工程と、
次いで、上記取付座部に向かって上記ガスケットの一部を押圧することにより、上記本体部に対する上記薄肉部の傾斜角度を小さくして、上記薄肉部の内径が上記取付ネジ部の外径よりも小さくなるように塑性変形させる押圧工程と、
を行うことを特徴とする内燃機関用のスパークプラグの製造方法にある。
【発明の効果】
【００１０】
上記内燃機関用のスパークプラグにおいて、上記ガスケットは、本体部と、該本体部における軸方向の一部から内側に突出する薄肉部とを有する。そして、薄肉部の内径は、取付ネジ部の外径よりも小さく、本体部の内径は、取付ネジ部の外径よりも大きい。そのため、ガスケットをスパークプラグに取り付ける際には、薄肉部を本体部に対して傾斜させて、薄肉部の内径を取付ネジ部の外径よりも大きくすることができる。この状態にて、ガスケットの内側に取付ネジ部を挿通させることで、取付座部の先端面にガスケットを配置することができる。その後、薄肉部の内周端が径方向内側に向かうように薄肉部を変形することで、取付ネジ部の基端部におけるネジ山に、ガスケットの薄肉部がネジ山の基端側から係止されるようにすることができる。このようにして、スパークプラグから脱落しないように、ガスケットをスパークプラグに取り付けることが可能となる。
【００１１】
ここで、上記のようなガスケットの変形にあたっては、本体部から内周側に突出した薄肉部を変形させるだけであるため、特に治具やガスケットの位置精度を高くする必要がない。これに伴い、治具やガスケットの寸法精度を高くする必要もない。その結果、スパークプラグの製造コストを低減することができると共に、生産性を向上させることができる。
【００１２】
また、上記内燃機関用のスパークプラグの製造方法は、上記準備工程と上記配置工程と上記押圧工程とを有する。これにより、上記のように、ガスケットを容易にスパークプラグに取り付けることができる。
【００１３】
以上のごとく、上記態様によれば、生産性に優れた低コストの内燃機関用のスパークプラグ及びその製造方法を提供することができる。
【図面の簡単な説明】
【００１４】
【図１】参考形態１における、スパークプラグの一部断面図。
【図２】参考形態１における、スパークプラグに取り付けられたガスケットの断面拡大図。
【図３】参考形態１における、ガスケットの平面図。
【図４】図３のIV−IV線矢視断面図。
【図５】参考形態１における、準備工程の説明図。
【図６】参考形態１における、配置工程の説明図。
【図７】参考形態１における、押圧工程の直前の説明図。
【図８】参考形態１における、押圧工程の説明図。
【図９】参考形態１における、配置工程を行った後の状態の説明図。
【図１０】参考形態１における、内燃機関に取り付けられたスパークプラグの一部断面図。
【図１１】参考形態２における、準備工程の説明図。
【図１２】参考形態２における、配置工程の説明図。
【図１３】参考形態２における、押圧工程の直前の説明図。
【図１４】参考形態２における、押圧工程の説明図。
【図１５】参考形態２における、配置工程を行った後の状態の説明図。
【図１６】参考形態３における、ガスケットの平面図。
【図１７】実施形態１における、（ａ）拡径状態にあるガスケットの一部の断面図、（ｂ）縮径状態にあるガスケットの一部の断面図。
【図１８】参考形態４における、（ａ）拡径状態にあるガスケットの一部の断面図、（ｂ）縮径状態にあるガスケットの一部の断面図。
【図１９】参考形態５における、（ａ）拡径状態にあるガスケットの一部の断面図、（ｂ）縮径状態にあるガスケットの一部の断面図。
【発明を実施するための形態】
【００１５】
（参考形態１）
内燃機関用のスパークプラグ及びその製造方法の形態につき、図１〜図１０を用いて説明する。
本形態の内燃機関用のスパークプラグ１は、図１、図１０に示すごとく、内燃機関に設けられた雌ネジ部６１に螺合される取付ネジ部２と、取付ネジ部２の基端側において取付ネジ部２よりも外周側に突出して形成された環状の取付座部３とを有する。また、スパークプラグ１は、取付座部３の先端面３１に沿って取付ネジ部２の基端部の外周に配設された環状中実のガスケット４を有する。
【００１６】
図３、図４に示すごとく、ガスケット４は、環状に形成された本体部４１と、本体部４１における軸方向Ｚの一部から内側に突出すると共に軸方向Ｚにおける肉厚が本体部４１よりも小さい薄肉部４２とを有する。
図１〜図４に示すごとく、薄肉部４２の内径ｄ１は、取付ネジ部２の外径ｄ２よりも小さく、本体部４１の内径ｄ３は、取付ネジ部２の外径ｄ２よりも大きい。
【００１７】
これにより、図１、図２に示すごとく、ガスケット４は、スパークプラグ１における取付ネジ部２の基端部に、脱落しないように取り付けられている。すなわち、取付ネジ部２の基端部には、ネジ山２１のない根元部１２１が存在しており、この根元部１２１の周囲にガスケット４が配置される。根元部１２１の外径は、ガスケット４の薄肉部４２の内径ｄ１よりも小さい。そして、ガスケット４の薄肉部４２が、取付ネジ部２の基端のネジ山２１に引っ掛かることで、ガスケット４がスパークプラグ１の先端側へ抜けることが防止されている。
【００１８】
ここで、取付ネジ部２の外径ｄ２は、ネジ山２１の頂部における取付ネジ部２の直径を意味する。また、薄肉部４２の内径ｄ１は、軸方向Ｚから見たときの薄肉部４２の内側端縁の内接円の直径を意味する。本体部４１の内径ｄ３も、軸方向Ｚから見たときの本体部４１の内側端縁の内接円の直径を意味する。
図４に示すごとく、薄肉部４２の軸方向Ｚの肉厚ｔ２は、本体部４１の軸方向Ｚの肉厚ｔ１の半分以下である。
【００１９】
本形態において、ガスケット４の本体部４１は、図３に示すごとく、円環状に形成されていると共に、図４に示すごとく、周方向に直交する断面の形状が、長方形状となっている。また、本体部４１の内周縁から、薄肉部４２が内側へ突出している。本形態においては、図３に示すごとく、薄肉部４２は、ガスケット４の全周にわたって円環状に設けられている。図４に示すごとく、ガスケット４の周方向に直交する平面による薄肉部４２の断面の形状も、長方形状となっている。薄肉部４２は、本体部４１の内周面における基端側の一部から突出して形成されている。すなわち、薄肉部４２の基端面は、本体部４１の基端面と、略同一平面上に形成されている。
【００２０】
本形態のスパークプラグ１は、例えば、自動車、コージェネレーション、ガス圧送用ポンプ等における内燃機関の着火手段として用いることができる。
スパークプラグ１は、図１に示すように、略円筒形状を有するハウジング１２の外周に取付ネジ部２を形成している。ハウジング１２は、例えば炭素鋼等の金属からなる。
【００２１】
この略円筒状のハウジング１２の内側に、例えばアルミナ等のセラミックスからなる略円筒状の絶縁碍子１３が挿通保持されており、絶縁碍子１３の内側に略円柱状の中心電極１４が挿通保持されている。
【００２２】
また、ハウジング１２の先端面に、Ｎｉ合金等からなる接地電極１５の一端が接合されている。そして、接地電極１５の他端付近が中心電極１４の先端と対向する位置に配されるよう、接地電極１５は屈曲形成されている。これにより、中心電極１４と接地電極１５との間に火花放電ギャップ１６が形成されている。なお、スパークプラグ１において、内燃機関の燃焼室に挿入される側を先端側、その反対側を基端側という。
【００２３】
ハウジング１２は、取付ネジ部２の基端側に、取付座部３を円環状に形成してなる。すなわち、取付ネジ部２および取付座部３は、一体品であるハウジング１２の一部として、一体的に形成されている。そして、図１、図２に示すごとく、ハウジング１２とは別部品であるガスケット４が、取付座部３の先端面３１に面するように配設されている。
【００２４】
ガスケット４は、一枚の金属板をプレス等によって、打ち抜き加工、プレス成型することにより、得ることができる。ガスケット４は、ハウジング１２よりも硬度の低い金属材料からなる。ガスケット４のビッカース硬さは、４０ＨＶ以上１２０ＨＶ以下とする。本形態において、ガスケット４は銅合金からなり、ビッカース硬さは例えば８０ＨＶである。また、ガスケット４は、アルミニウム合金によって構成してもよい。
【００２５】
次に、内燃機関用のスパークプラグ１を製造する方法につき、図５〜図９を用いて説明する。
ガスケット４を取付座部３の先端面３１に沿う位置に組み付けるにあたっては、以下の準備工程と、配置工程と、押圧工程とを行う。
【００２６】
準備工程においては、図５に示すごとく、薄肉部４２を本体部４１に対して軸方向Ｚに傾斜させる。これにより、ガスケット４を、薄肉部４２の内径ｄ１１が取付ネジ部２の外径ｄ２よりも大きい拡径状態とする。
次いで、配置工程においては、図６、図７に示すごとく、拡径状態とされたガスケット４の内側に、取付ネジ部２を取付ネジ部２の先端側から挿通させるようにして、ガスケット４を取付座部３の先端面３１に沿う位置に配置する。
次いで、押圧工程においては、図７、図８に示すごとく、取付座部３に向かってガスケット４の一部を押圧する。これにより、本体部４１に対する薄肉部４２の傾斜角度を小さくして、薄肉部４２の内径ｄ１が取付ネジ部２の外径ｄ２よりも小さくなるように塑性変形させる。このガスケット４の状態を、以下において適宜、縮径状態という。
【００２７】
本形態においては、図５に示すごとく、準備工程において、薄肉部４２を本体部４１に対して軸方向Ｚにおける先端側に傾斜させて、ガスケット４の拡径状態を形成する。この拡径状態においては、薄肉部４２の内径ｄ１１が、取付ネジ部２の外径ｄ２よりも大きくなっている。そのため、配置工程において、図６、図７に示すごとく、ガスケット４の内側に取付ネジ部２を挿通させるように、取付ネジ部２に対し、その先端側からガスケット４を組み付けることができる。
【００２８】
そして、押圧工程において、図７、図８に示すごとく、押圧治具５によって薄肉部４２を基端側へ押圧することで、薄肉部４２を、その突出方向が軸方向Ｚに直交する方向となるように塑性変形させる。押圧治具５は、円筒形状を有することが好ましい。これにより、ガスケット４を全周にわたって万遍なく押圧することができる。
【００２９】
また、押圧工程においては、ガスケット４が取付座部３の先端面３１に配置された状態で、押圧治具５をガスケット４の薄肉部４２のみに当接させて、先端面３１に押し付ける。これにより、図７に示すごとく、本体部４１に対して傾斜していた薄肉部４２を、塑性変形させて、図８に示すごとく、薄肉部４２が径方向に平行となるように、すなわち軸方向Ｚに直交する方向となるようにする。
【００３０】
その結果、図９に示すごとく、ガスケット４の内径ｄ１が取付ネジ部２の外径ｄ２よりも小さい状態で、取付ネジ部２の基端部における根元部１２１にガスケット４が取り付けられる。これにより、ガスケット４は、取付ネジ部２に対して先端側へ移動しようとしても、薄肉部４２の内側端縁が取付ネジ部２のネジ山２１に引っ掛かる。そのため、スパークプラグ１からガスケット４が脱落することがない。
【００３１】
また、図１０に示すごとく、ガスケット４を備えたスパークプラグ１を、内燃機関に取り付けるにあたっては、取付ネジ部２を内燃機関の雌ネジ部６１に螺合する。そして、取付ネジ部２を雌ネジ部６１に締め付けることにより、取付座部３の先端面３１と、内燃機関の雌ネジ部６１の周囲における座面６２との間に、ガスケット４が軸方向Ｚに挟持される。これにより、ガスケット４が、取付座部３の先端面３１と座面６２とにそれぞれ密着して、内燃機関へのスパークプラグ１の取付部における気密性が確保される。
【００３２】
次に、本形態の作用効果につき説明する。
内燃機関用のスパークプラグ１において、ガスケット４は、本体部４１と、本体部４１における軸方向Ｚの一部から内側に突出する薄肉部４２とを有する。そして、薄肉部４２の内径ｄ１は、取付ネジ部２の外径ｄ２よりも小さく、本体部４１の内径ｄ３は、取付ネジ部２の外径ｄ２よりも大きい。そのため、ガスケット４をスパークプラグ１に取り付ける際には、薄肉部４２を本体部４２に対して傾斜させて、薄肉部４２の内径ｄ１を取付ネジ部２の外径ｄ２よりも大きくすることができる。この状態にて、ガスケット４の内側に取付ネジ部２を挿通させることで、取付座部３の先端面３１にガスケット４を配置することができる。その後、薄肉部４２の内周端が径方向内側に向かうように薄肉部４２を変形することで、取付ネジ部２の基端部におけるネジ山２１に、ガスケット４の薄肉部４２がネジ山２１の基端側から係止されるようにすることができる。このようにして、スパークプラグ１から脱落しないように、ガスケット４をスパークプラグ１に取り付けることが可能となる。
【００３３】
ここで、上記のようなガスケット４の変形にあたっては、本体部４１から内周側に突出した薄肉部４２を変形させるだけであるため、特に押圧治具５やガスケット４の位置精度を高くする必要がない。これに伴い、押圧治具５やガスケット４の寸法精度を高くする必要もない。その結果、スパークプラグ１の製造コストを低減することができると共に、生産性を向上させることができる。
【００３４】
また、薄肉部４２の肉厚ｔ２は、本体部４１の肉厚ｔ１の半分以下である。そのため、本体部４１において取付座部３と内燃機関の座面６２との間のシール性を確保しつつ、薄肉部４２の変形を容易に行うことができる。
【００３５】
また、ガスケット４は、ビッカース硬さが４０ＨＶ以上１２０ＨＶ以下の銅合金からなるため、取付座部３と内燃機関の座面６２との間に挟持されたときに、取付座部３の先端面３１と内燃機関の座面６２とに馴染むように変形しやすい。その結果、内燃機関におけるスパークプラグ１の取付部の気密性を向上させることができる。また、薄肉部４２の変形を一層容易に行うことができる。なお、ガスケット４を同様のビッカース硬さのアルミニウム合金によって構成しても、同様の効果を得ることができる。
【００３６】
また、本形態のスパークプラグの製造方法においては、準備工程において、薄肉部４２を本体部４１に対して軸方向Ｚにおける先端側に傾斜させて、ガスケット４の拡径状態を形成する。そのため、配置工程において、ガスケット４の内側に取付ネジ部２を円滑に挿通することができる。
【００３７】
以上のごとく、本形態によれば、生産性に優れた低コストの内燃機関用のスパークプラグ及びその製造方法を提供することができる。
【００３８】
（参考形態２）
本形態は、図１１〜図１５に示すごとく、準備工程におけるガスケット４の拡径状態を、参考形態１の場合と異ならせて、ガスケット４をスパークプラグ１に組み付ける形態である。
【００３９】
すなわち、図１１に示すごとく、準備工程において、薄肉部４２を本体部４１に対して軸方向Ｚにおける基端側に傾斜させて、ガスケット４の拡径状態を形成する。
そして、配置工程において、図１２、図１３に示すごとく、薄肉部４２が傾斜した側から、取付ネジ部２をガスケット４の内側に挿通するようにして、ガスケット４を取付座部３の先端面３１に沿う位置に配置する。
【００４０】
次いで、図１３、図１４に示すごとく、押圧工程において、押圧治具５によってガスケット４の本体部４１を軸方向Ｚの基端側へ押圧する。これにより、押圧治具５と取付座部３との間の挟持力により、薄肉部４２の突出方向が径方向に平行となるように、すなわち軸方向Ｚに直交する方向となるように塑性変形する。
これにより、図１５に示すごとく、ガスケット４の内径ｄ１が取付ネジ部２の外径ｄ２よりも小さい状態で、取付ネジ部２の基端部における根元部１２１にガスケット４が取り付けられる。
【００４１】
その他は、参考形態１と同様である。なお、参考形態１における符号と同じ符号は、特に示さない限り、同様の構成要素等を示すものであって、先行する説明を参照する。
【００４２】
本形態の場合には、押圧工程において、押圧治具５をガスケット４の本体部４１に当接させることができる。そのため、ガスケット４に対する押圧治具５の位置精度を緩和することができる。その結果、スパークプラグ１の生産性をより向上させることができる。
その他、参考形態１と同様の作用効果を有する。
【００４３】
（参考形態３）
本形態は、図１６に示すごとく、ガスケット４の薄肉部４２を複数箇所に分散配置した形態である。
すなわち、本体部４１における周方向の複数箇所から、薄肉部４２が内側へ突出している。本形態においては、薄肉部４２は、ガスケット４における周方向の４箇所に等間隔に設けられている。薄肉部４２の個数は特に限定されるものではないが、周方向の３箇所以上に設けられていることが好ましい。
【００４４】
薄肉部４２の内周端縁は、薄肉部４２の内接円に沿った円弧状となっている。ただし、薄肉部４２の内周端縁の形状も、特に限定されるものではなく、例えば平面状となっていてもよい。
その他は、参考形態１と同様である。なお、参考形態１における符号と同じ符号は、特に示さない限り、同様の構成要素等を示すものであって、先行する説明を参照する。
【００４５】
本形態においては、薄肉部４２の変形を容易に行うことができる。これに伴い、拡径状態における本体部４１に対する薄肉部４２の傾斜角度を大きくしやすい。
その他、参考形態１と同様の作用効果を有する。
【００４６】
（実施形態１）
本実施形態は、図１７に示すごとく、本体部４１と薄肉部４２との境界部分付近におけるガスケット４の基端面に、切欠部４３を設けた実施形態である。
切欠部４３は、本体部４１と薄肉部４２との境界に沿って、溝状に形成されている。
その他は、参考形態１と同様である。なお、参考形態１における符号と同じ符号は、特に示さない限り、同様の構成要素等を示すものであって、先行する説明を参照する。
【００４７】
本実施形態においては、薄肉部４２の変形を容易に行うことができる。また、図１７（ａ）に示す拡径状態から、図１７（ｂ）に示す縮径状態としたとき、ガスケット４の基端面に盛り上がり部分が形成されることを防ぐことができる。その結果、ガスケット４と取付座部３との間の密着性を確保することができる。
その他、参考形態１と同様の作用効果を有する。
【００４８】
（参考形態４）
本形態は、図１８に示すごとく、薄肉部４２の形状を、外周側から内周側へ向かうにつれて薄肉部４２の肉厚が徐々に小さくなるテーパ形状とした形態である。
その他は、参考形態１と同様である。なお、参考形態１における符号と同じ符号は、特に示さない限り、同様の構成要素等を示すものであって、先行する説明を参照する。
【００４９】
本形態においても、図１８（ａ）に示す拡径状態から、図１８（ｂ）に示す縮径状態としたとき、ガスケット４の基端面に盛り上がり部分が形成されることを防ぐことができる。その結果、ガスケット４と取付座部３との間の密着性を確保することができる。
その他、参考形態１と同様の作用効果を有する。
【００５０】
（参考形態５）
本形態は、図１９に示すごとく、ガスケット４の形状を、本体部４１における軸方向Ｚの略中央部から薄肉部４２が突出した形状とした形態である。すなわち、ガスケット４の先端面と基端面との双方において、本体部４１と薄肉部４２との間に段差が形成されている。
その他は、参考形態１と同様である。なお、参考形態１における符号と同じ符号は、特に示さない限り、同様の構成要素等を示すものであって、先行する説明を参照する。
【００５１】
本形態においても、図１９（ａ）に示す拡径状態から、図１９（ｂ）に示す縮径状態としたとき、ガスケット４の基端面に盛り上がり部分が形成されることを、より効果的に防ぐことができる。その結果、ガスケット４と取付座部３との間の密着性を確保することができる。
その他、参考形態１と同様の作用効果を有する。
【００５２】
本発明は上記実施形態に限定されるものではなく、その要旨を逸脱しない範囲において種々の実施形態に適用することが可能である。例えば、参考形態１及び参考形態２のいずれに示した製造方法においても、実施形態１、参考形態３〜参考形態５に示す形状のガスケット４を用いることができる。
【符号の説明】
【００５３】
１  スパークプラグ
２  取付ネジ部
３  取付座部
３１  （取付座部の）先端面
４  ガスケット
４１  本体部
４２  薄肉部
Ｚ  軸方向
【図１】
0006565344.tif 000002
【図２】
0006565344.tif 000003
【図３】
0006565344.tif 000004
【図４】
0006565344.tif 000005
【図５】
0006565344.tif 000006
【図６】
0006565344.tif 000007
【図７】
0006565344.tif 000008
【図８】
0006565344.tif 000009
【図９】
0006565344.tif 000010
【図１０】
0006565344.tif 000011
【図１１】
0006565344.tif 000012
【図１２】
0006565344.tif 000013
【図１３】
0006565344.tif 000014
【図１４】
0006565344.tif 000015
【図１５】
0006565344.tif 000016
【図１６】
0006565344.tif 000017
【図１７】
0006565344.tif 000018
【図１８】
0006565344.tif 000019
【図１９】
0006565344.tif 000020